(57)【要約】  Ｕ字形の湾曲部（１３）を有する複数の細長い管（１）を有する管束用の管支持装置（２０）が開示される。管支持装置（２０）は、一対の反対面を有する長手方向に延びる細長いストリップ（２１）を含む。複数の管係合部材（２２、２３、２４）は一対の反対面から延びる。管支持装置（２０）は、その一端に形成された係合アセンブリ（２５）を含む。係合アセンブリ（２５）は、管束内に配置された固定アセンブリ（１４）に係合するように構成され、これにより、管（１）の間において管支持装置（２０）を所望の方向に回転させて、振動による損傷を防止することができる。【選択図】図１
2009512833.tif 000002
【特許請求の範囲】
【請求項１】
細長い部材の列に配置される複数の細長い管；および
固定アセンブリ
を有する管束用の管支持装置であって、
一対の反対面を有する長手方向に延びる細長いストリップ；
前記一対の反対面から延びる複数の管係合部材であって、前記支持装置が、細長い管の隣接する列の間に配置されるように、前記管支持装置が寸法決めされる複数の管係合部材；および
前記管支持装置の一端に形成された係合アセンブリであって、前記管束内の前記固定アセンブリに選択的に係合するように構成される係合アセンブリ
を備えることを特徴とする管支持装置。
【請求項２】
前記固定アセンブリが固定アセンブリ軸を有し、前記係合アセンブリが、前記管支持装置を、少なくとも部分的に前記固定アセンブリ軸を中心に回転可能にしながら前記固定アセンブリに固定することを特徴とする請求項１に記載の管支持装置。
【請求項３】
前記係合アセンブリが、前記ストリップの一端に形成された開口部を備え、前記開口部が前記固定アセンブリを収容するように寸法決めされることを特徴とする請求項１に記載の管支持装置。
【請求項４】
前記係合アセンブリが、前記ストリップの一端に形成されたスロットを備え、前記スロットが前記固定アセンブリを収容するように寸法決めされることを特徴とする請求項１に記載の管支持装置。
【請求項５】
前記スロットが開口端を有し、前記開口端が前記スロットへの前記固定アセンブリの挿入を容易にするようにテーパー状であることを特徴とする請求項４に記載の管支持装置。
【請求項６】
前記係合アセンブリが前記ストリップの一端に形成されることを特徴とする請求項１に記載の管支持装置。
【請求項７】
前記一端に隣接する前記ストリップが、厚さを厚くした領域を形成するように前記ストリップ自体の上に折り曲げられ、前記係合アセンブリが、前記厚さを厚くした領域に形成されることを特徴とする請求項６に記載の管支持装置。
【請求項８】
前記ストリップに固定された延長部を更に備え、前記延長部には前記係合アセンブリが形成されることを特徴とする請求項１に記載の管支持装置。
【請求項９】
前記係合アセンブリが、前記延長部の一端に形成された開口部を備え、前記開口部が前記固定アセンブリを収容するように寸法決めされることを特徴とする請求項８に記載の管支持装置。
【請求項１０】
前記係合アセンブリが、前記延長部の一端に形成されたスロットを備え、前記スロットが前記固定アセンブリを収容するように寸法決めされることを特徴とする請求項８に記載の管支持装置。
【請求項１１】
前記スロットが開口端を有し、前記開口端が前記スロットへの前記固定アセンブリの挿入を容易にするようにテーパー状であることを特徴とする請求項１０に記載の管支持装置。
【請求項１２】
複数の細長い管を有する管束；
前記管束内に配置された固定アセンブリであって、前記複数の細長い管が列に配置され、前記各細長い管が、前記管束の一方の側に沿って延びる第１の細長い管部分、Ｕ字形の湾曲部および前記管束の他方の側に沿って延びる第２の細長い部分を有するように実質的にＵ字形であり、前記固定アセンブリが前記Ｕ字形の湾曲部に隣接して配置される固定アセンブリ；および
少なくとも１つの管支持装置であって、各管支持装置が、
一対の反対面を有する長手方向に延びる細長いストリップ、
前記一対の反対面から延びる複数の管係合部材であって、前記支持装置が、前記細長い管の隣接する列の間に配置されるように、前記管支持装置が寸法決めされる複数の管係合部材、および
前記管支持装置の一端に形成された係合アセンブリであって、前記固定アセンブリに係合する係合アセンブリ
を備える少なくとも１つの管支持装置
を備えることを特徴とする管束装置。
【請求項１３】
前記固定アセンブリが固定アセンブリ軸を有し、前記管支持装置が前記細長い管の前記Ｕ字形の湾曲部内に適切に配置され得るように、前記係合アセンブリが、前記管支持装置を、少なくとも部分的に前記固定アセンブリ軸の周囲で回転可能にしながら前記固定アセンブリに固定することを特徴とする請求項１２に記載の管束装置。
【請求項１４】
前記係合アセンブリが、前記ストリップの一端に形成された開口部を備え、前記開口部が前記固定アセンブリを収容するように寸法決めされることを特徴とする請求項１２に記載の管束装置。
【請求項１５】
前記係合アセンブリが、前記ストリップの一端に形成されたスロットを備え、前記スロットが前記固定アセンブリを収容するように寸法決めされることを特徴とする請求項１２に記載の管束装置。
【請求項１６】
前記スロットが開口端を有し、前記開口端が前記スロットへの前記固定アセンブリの挿入を容易にするようにテーパー状であることを特徴とする請求項１５に記載の管束装置。
【請求項１７】
前記係合アセンブリが前記ストリップの一端に形成されることを特徴とする請求項１２に記載の管束装置。
【請求項１８】
前記一端に隣接する前記ストリップが、厚さを厚くした領域を形成するように前記ストリップ自体の上に折り曲げられ、前記係合アセンブリが、前記厚さを厚くした領域に形成されることを特徴とする請求項１７に記載の管束装置。
【請求項１９】
前記ストリップに固定された延長部を更に備え、前記延長部には前記係合アセンブリが形成されることを特徴とする請求項１２に記載の管束装置。
【請求項２０】
前記係合アセンブリが、前記延長部の一端に形成された開口部を備え、前記開口部が前記固定アセンブリを収容するように寸法決めされることを特徴とする請求項１９に記載の管束装置。
【請求項２１】
前記係合アセンブリが、前記延長部の一端に形成されたスロットを備え、前記スロットが前記固定アセンブリを収容するように寸法決めされることを特徴とする請求項１９に記載の管束装置。
【請求項２２】
前記スロットが開口端を有し、前記開口端が前記スロットへの前記固定アセンブリの挿入を容易にするようにテーパー状であることを特徴とする請求項２１に記載の管束装置。
【請求項２３】
前記管束装置が熱交換器であることを特徴とする請求項１２に記載の管束装置。
【請求項２４】
管束を有する熱交換器の振動を低減する方法であって、
前記管束が、前記管束内に配置された複数の細長い管および固定アセンブリを有し、
前記複数の細長い管が列に配置され、前記各細長い管が、前記管束の一方の側に沿って延びる第１の細長い管部分、固定アセンブリを介して延びるＵ字形の湾曲部および前記管束の他方の側に沿って延びる第２の細長い部分を有するように実質的にＵ字形であり、
前記Ｕ字形の湾曲部の前記細長い管の隣接する列の間に少なくとも１つの管支持装置を配置する工程；
前記管支持装置を前記固定アセンブリに係合させる工程であって、前記固定アセンブリが固定アセンブリ軸を有する工程；および
前記固定アセンブリ軸を中心に前記管支持装置を回転させて、前記Ｕ字形の湾曲部の隣接する細長い管の間で前記管支持装置を所望の位置に配置する工程
を含むことを特徴とする方法。
【請求項２５】
前記少なくとも１つの管支持装置の各々が、
一対の反対面を有する長手方向に延びる細長いストリップ；
前記一対の反対面から延びる複数の管係合部材であって、前記管支持装置が、細長い管の隣接する列の間に配置されるように、前記管支持装置が寸法決めされる複数の管係合部材；および
前記管支持装置の一端に形成された係合アセンブリであって、前記固定アセンブリに係合する係合アセンブリ
を備えることを特徴とする請求項２４に記載の振動を低減する方法。
【請求項２６】
前記係合アセンブリが、前記管支持装置の一端に形成された開口部であることを特徴とする請求項２５に記載の振動を低減する方法。
【請求項２７】
前記係合アセンブリが、前記管支持装置の一端に形成されたスロットであることを特徴とする請求項２５に記載の振動を低減する方法。
【発明の詳細な説明】
【技術分野】
【０００１】
本発明は、一般に管支柱と呼ばれる管支持装置に関する。管支持装置は、流れによって生じる振動を制御しかつ管束内の管またはロッドの移動を防止するように取り付けられる。具体的には、本発明は、細長い管が、管内の流れの方向を反転させるＵ字形の湾曲部を有する管束の部分に取り付けるべき管支持装置に関する。本発明は、熱交換器、蒸気発生器および同様の流体取扱い機器の管束またはロッド束に有用である。あるパターンの細長い部材（管、パイプ、ロッド等）を横切る流体の流れによって生じる振動が問題となる任意の用途に、本発明を使用し得ることが考えられる。
【背景技術】
【０００２】
機器を通して流体を導くために、シェル・チューブ型熱交換器および同様の種類の流体取扱い装置等の管束機器には、束にまとめられた管が利用される。このような管束には、典型的に、管の内部を通ると共に管の外部を横切る流体の流れが存在する。束の管の形態は、管がセットされる管シートによって設定される。管用の１つの一般的な形態は、互いに直交して整列された各対または各列の間に管レーン（管の間の直線路）を有する整列された列にセットされた管を有する矩形の形態である。この形態において、各管は、管束の周辺を除いて８つの他の管に隣接し、隣接する２つの列を分離する管レーンを横切る対応する管の正反対の側にある。三角形の管の形態において、交互の列の管は、各管が６つの他の管（同一の列の隣接する２つの管および隣接する２つの列の４つの管）に隣接するように互いに整列される。管束に収容された管は管束の一方の側に沿って長手方向に一端まで延びる。次に、管が管束の反対側に沿って長手方向に延びることができるように、管がＵ字形の湾曲部を有する。Ｕ字形の湾曲部は、典型的に、管束内に配置された固定アセンブリの周囲に延びる。
【０００３】
管の周囲の流体の流れパターンと、管内におよびその周囲に流れる２つの流体の間における熱交換により、流体が循環するときに生じる流体の温度および密度の変化とによって、管束の振動特性の流れにより生じる振動が発生する可能性がある。これらの振動が所定の限界振幅に達した場合、束に損傷が生じることがある。熱交換機器が、元の管とは異なる材料の管に交換された場合、例えば、比較的剛性の材料が、より軽量の管に置き換えられた場合、管の振動の問題を悪化させる可能性がある。更に、機器が、より厳しい操作要求を受けた場合、例えば、他の既存の機器の品質が向上された場合、流れによって生じる振動が発生する可能性があり、以前は十分であった熱交換器は、新たな条件下で、流れによって生じる振動を受けることになる。交換器がなお流れの中にあるが、熱伝達が生じていない場合にも、ある条件下において、振動が発生する可能性がある。
【０００４】
優れた機器の構造に加えて、他の措置により、管の振動を低減し得る。管支持装置または管支柱は、これらの管支持装置が一般に知られている（本明細書に記載されている）ように、流れによって生じる振動を制御するためおよび管の過剰な移動を防止するために、管束に取り付けることが可能である。いくつかの管支持体または管支柱が提案されており、市販されている。ウィリアムズ（Ｗｉｌｌｉａｍｓ）への特許文献１に記載されている１つの種類は、溝の頂面と底面との間の距離が、管束の隣接する列の間の距離と同一である（即ち管レーン寸法とほぼ同一である）Ｕ字形状を有する。この種の支柱は、束の列の間に挿入され、端部で円弧部によって固定され、この円弧部は、束の列の間で支柱を適切な所定位置に固着するように、管束の周辺で管の部分に係合する。
【０００５】
他の形態の耐振動性管支柱は、ハーン（Ｈａｈｎ）への特許文献２に記載されており、この文献は、サドルがこれらのＶ字形の断面の開口端のストリップの長手方向軸線に対して垂直に形成される軟質のＶ字形状のストリップで製造された支柱を開示している。サドルは、管ピッチに等しいピッチ（サドルの間の距離）を有し、かつサドルが管レーンの一方の側の管に係合するように管束の管の半径に適合する半径を有するストリップに形成される。これらの管とサドルとの間の係合により、管が管束内に適所に固着される。Ｖ字形状によって生じるばねタイプの作用に関連するストリップの弾性特性により、Ｖ字形のアームを開いて、支柱の有効全幅を低減することが可能になり、支柱が管レーンの両側の管に係合することが可能になり、この結果、Ｖ字形の支柱は２列の管の間に適所に固着される。
【０００６】
同種の管支柱が、ハーン（Ｈａｈｎ）への特許文献３に記載されており、この文献は、束の周辺管の一方を介して、Ｕ字形の閉鎖端を有する２つの管レーンの間に挿入されるＵ字形の支柱を開示している。サドルは、束の一列の管の他方の側に係合するようにＶ字形の断面の開口端に形成される。Ｕ字形の支柱は、支柱の２つのアームの間に延びる適切な留め具によって束の管の周囲の適所に固定される。
【０００７】
特許文献１に記載されている種類の押圧構造に関する１つの問題は、支柱が個々の管毎に確実な位置決めを行わないが、支柱がその選択された管レーンの適所に固着されることである。管は、管レーンに対して平行なおよび支柱に対して平行な１つの面で自由に振動し続ける。特許文献３に記載されている構造では、異なる問題が存在する。即ち、Ｕ字形の支柱によって囲まれた列の管は完全に支持されるが、支柱の内の１つによって直接囲まれていない、即ち、Ｕ字形の支柱の閉鎖端の１つの中に保持される管束の周辺の管（Ｕ字形の支柱の端部によって囲まれていない交互の列の外管が存在する）が自由に移動してしまい、ある条件下において、これらの管で振動が生じることを予想できる。更に、管支持体の波形部は、その十分な深さに達する前に移行領域を有するので、最外側の管の各々に隣接する２つの管は、いずれも、振動の軽減を受けない。
【０００８】
単一の管レーンを形成する管の間の距離に対応するために溝のプレス成形を用いる支柱の構造の１つの欠点は、管レーンが比較的幅広であった場合に、深い溝のプレス成形が必要となるかまたは他の措置が必要となることである。より複雑な形状の管支持体が、ハーン（Ｈａｈｎ）への特許文献４に記載されている。この支柱には、振動を減衰させるために管レーンの反対側で支柱を管に押し付ける圧縮ばねによって分離された２つのＶ字形のプレス成形品が使用される。しかし、この形状の支柱の製造には非常に費用がかかる。従って、別個の部分が付随しない比較的幅広の管レーンに対応する一体の支柱が望ましい。
【０００９】
これらの支柱の構造の他の欠点は、これらの構造が、細長い管のＵ字形の湾曲部を含む管束の部分の振動を低減するのに適していないことである。これらの構造では、Ｕ字形の湾曲部の管の振動を低減または防止するように支柱を管束内に適切に配向できるような支柱の取扱いが許容されない。
【００１０】
【特許文献１】米国特許第４，６４８，４４２号明細書
【特許文献２】米国特許第４，９１９，１９９号明細書
【特許文献３】米国特許第５，２１３，１５５号明細書
【特許文献４】米国特許第６，４０１，８０３号明細書
【特許文献５】米国特許出願第１０／８４８，９０３号明細書
【特許文献６】米国特許出願第１１／２５３，８１５号明細書
【特許文献７】米国仮特許出願第６０／６３０，０１０号明細書
【特許文献８】米国特許出願第１１／２５３，８１６号明細書
【発明の開示】
【課題を解決するための手段】
【００１１】
本発明の態様は、複数の細長い管を有する管束用の管支持装置を提供することである。複数の細長い管は細長い部材の列に配置される。各細長い管は、その細長い管が管束固定アセンブリの一方の側に沿っておよび管束の他方の側に沿って延びるように実質的にＵ字形である。各管は、Ｕ字形の湾曲部によって接合された一対の細長い直線部分を有する。管支持装置は、一対の反対面を有する長手方向に延びる細長いストリップを含む。複数の管係合部材は一対の反対面から延びる。ディンプル、波形部、またはストリップの対向側面に沿って延びる管に係合できる他の適切な突出部として、管係合部材を形成し得ることが考えられる。本発明による管支持装置は、Ｕ字形の湾曲部の細長い管の隣接する列の間に配置されるように寸法決めされる。
【００１２】
本発明によれば、管支持装置は、その一端に形成された係合アセンブリを更に含む。管支持装置を固定アセンブリと管束とに固定する管束のＵ字形の湾曲領域の幾何学的中心に隣接して設けられた固定アセンブリに係合するように、係合アセンブリが構成される。固定アセンブリは管に挿入される。固定アセンブリの端部を束の１つ以上の外管に締め付けて、固定アセンブリを適所に維持することが可能である。固定アセンブリはバーまたはケーブルの形態をとり得る。このような構成では、管支持装置を管の間で所望の方向に回転させて、振動を防止することができるように、固定アセンブリの軸を中心として、係合アセンブリを部分的に回転または旋回させることができる。係合アセンブリは、ストリップの一端に形成された開口部を含み得る。開口部は、好ましくは固定アセンブリを収容するように寸法決めされる。固定アセンブリに接触するように支持装置を束に完全に挿入することが不可能であるような不十分な間隙が管の間に存在する場合があり得る。開口部を有する係合アセンブリは、特に、管束の組立中に管支持装置を固定アセンブリに固定できる新しい管束に適している。或いは、係合アセンブリは、ストリップの一端に形成されたスロットを含んでもよい。開口部と同様に、スロットは固定アセンブリを収容するように寸法決めされる。スロット構成を両方の新しい管束に用い、既存の管束に新たに組み込むことができる。スロットにより、固定アセンブリを中心として、管支持装置を所望の位置に回転させることができるように、管支持装置を固定アセンブリに係合させることが可能になる。スロットは、スロットへの固定アセンブリの挿入を容易にするためのテーパー状の開口端を有し得る。
【００１３】
本発明の態様によれば、細長いストリップの一部として、またはストリップの端部に固定される延長部の一部として、係合アセンブリを形成することが可能である。ストリップの一部として形成された場合、係合アセンブリをそのストリップの端部に形成し得る。管支持装置と固定部との間の係合の安定性を向上させるために、管支持装置の端部の厚さを厚くし得ることが考えられる。このことは、ストリップの端部をそれ自体の上に折り曲げることによって、または追加の材料層をストリップの端部に積層することを含む他の適切な手段によって実現することが可能である。
【００１４】
本発明の他の態様によれば、上記管支持装置を使用する管束装置が開示される。管束装置は、複数の細長い管を有する管束を含む。束の内管の間に、ケーブルまたはバーの形態をとり得る固定アセンブリを配置し得る。複数の細長い管が、実質的にＵ字形状を有する細長い管を有する列に配置されることが考えられる。管は、管束の一方の側に沿って延びる第１の細長い管部分と、固定アセンブリを介して延びるＵ字形の湾曲部と、管束の他方の側に沿って延びる第２の細長い部分とを有する。係合アセンブリが固定アセンブリに係合するように、管支持装置がＵ字形の湾曲部の間の空間内に配置されるべく構成される。
【００１５】
本発明の他の態様によれば、管束装置は熱交換器である。しかし、本発明は、そのことに限定されることを意図するものではなく、固定アセンブリを有するかまたは有しないＵ字形の湾曲部を含む管の束を有する他の装置と共に、本発明を使用し得ることが考えられる。これらの装置は、蒸気発生器および他の同様の流体取扱い機器を含むがそれらに限定されない。
【００１６】
本発明の他の態様は、管束を有する熱交換器または他の装置の振動を低減する方法を提供することである。少なくとも１つの管支持装置は、管のＵ字形の湾曲部の近くの細長い管の隣接する列の間の空間内に配置される。管支持装置は管束の固定アセンブリに係合する。管の必要な支持を行って振動を低減および／または除去するために、管支持装置をＵ字形の湾曲部内で所望の方向に回転させることができるように、各管支持装置が固定アセンブリの軸を中心に回転される。
【００１７】
次に、以下の図面を参照して、本発明について説明する。同様の参照番号は同様の要素を示している。
【発明を実施するための最良の形態】
【００１８】
熱交換器は、束に配置された一連の細長い管またはロッド１を含む。図１４と図１５に示されているように、各々の管またはロッド１は、束の一方の側に沿って延びる第１の細長い線形部分１１を含むことが好ましい。第２の細長い線形部分１２は束の反対側に沿って延びる。Ｕ字形の湾曲部１３によって、部分１１と１２が相互接続される。管１は、図１、図２および図１１に示されているように矩形形状に、または図１３に示されているように三角形状に配置することが可能である。固定アセンブリ１４は、図１４と図１５に示されているように、Ｕ字形の湾曲部１３に隣接して束を通って延びる。内管１（即ち、固定アセンブリ１４に最も近接して配置される管またはロッド）は、一般に、束の外側の近くに配置される管１よりもはるかに硬質である。外管は振動およびビビリに対してより敏感である。以下に説明するように、管支持装置を挿入する前に、固定アセンブリ１４が束に挿入される。固定アセンブリ１４は、図１３に示されているように、適切なクランプ６を使用して束の外管１の１つ以上に締め付けられるバーまたはケーブルの形態をとり得る。
【００１９】
本発明の管支持装置または支柱は、互いに隣接するが、束の空間によって分離される細長い管、ロッド、パイプ等を直接支持するように配置される。規定された管レーンまたはスペーサレーン或いはより小さく規定された空間によって、細長い管を分離し得る。管またはロッドの撓みまたは変形が生じる可能性がある管の既存の束に、管支持体が新たに組み込まれた場合に、より小さく規定された空間が生じ得る。本発明は管に関連して説明されているが、本発明が中空円筒管にのみ使用されることが意図されない。中空または中実のロッドまたは管と共に、本発明を使用し得ることが意図される。更に、管は円形断面に限定されず、管またはロッドが、四角形であるか、三角形であるかまたは他の任意の適切な形状を有し得ることが意図される。管束のサイズに基づいて、および隣接する細長い部材または管の間の空間またはスペーサレーンが、どの程度適切に規定されるかにより、管支持装置の全長が様々であり得る。
【００２０】
次に、図１、および図３〜図６を参照して、本発明の実施形態による管支持装置２０について説明する。管支持装置２０は、細長いストリップ２１を含む。細長いストリップ２１は耐腐食性の金属ストリップ（例えばステンレス鋼）からなることが好ましい。細長いストリップ２１は複数の列の管係合部材２２、２３および２４を含む。管係合部材は、図１と図３に示されているように、ストリップ２１の対向側面から突出するディンプル２２ａ、２２ｂ、２２ｃの列を含み得る。更に、管係合部材は、図１と図４に示されているように、ストリップ２１の対向側面から突出する細長い波形部２４ａ、２４ｂ、２４ｃの列を含み得る。その上、管係合部材は、図１に示されているように、ディンプルおよび波形部の両方を含む部材２３を含み得る。これらの構成は、「耐振動性管支持体（Ａｎｔｉ−Ｖｉｂｒａｔｉｏｎ  Ｔｕｂｅ  Ｓｕｐｐｏｒｔｓ）」という表題で２００４年５月１９日に出願されたワンニ（Ｗａｎｎｉ）らへの特許文献５により詳細に開示されている（その開示は、参照により本明細書に具体的に援用されている）。各列の管係合部材において、図１に示されているように、少なくとも１つの管係合部材が、隣接する管１に係合するようにストリップ２１の各面から延びる。管係合部材の寸法は様々であり得る。例えば、束の内管について、管係合部材の全高を低減することが可能であるが、この理由は、これらの管がより硬質であるからである。管係合部材が、隣接する少なくとも１つの管に接触するように寸法決めされて形成された場合、管係合部材が種々の形状を有し得ることが考えられる。
【００２１】
本発明は、図面に示されている管係合部材に限定されることを意図するものではなく、例えば、「耐振動性管支持体（Ａｎｔｉ−Ｖｉｂｒａｔｉｏｎ  Ｔｕｂｅ  Ｓｕｐｐｏｒｔ）」という表題で２００５年１０月２０日に出願されたルディ（Ｒｕｄｙ）らへの特許文献６と、「耐振動性管支持体（Ａｎｔｉ−Ｖｉｂｒａｔｉｏｎ  Ｔｕｂｅ  Ｓｕｐｐｏｒｔ）」という表題で２００４年１１月２２日に出願された特許文献７とに開示されている（それらの開示は、参照により本明細書に具体的に援用されている）横方向に延びる波形部を含むがそれらに限定されない他の形状の管係合部材が、本発明の範囲に適切に含まれると考えられる。また、図面は、ストリップ２１の実質的に全長に沿って延びる管係合部材を示している。本発明は、上記のことに限定されることを意図するものではなく、例えば、「耐振動性管支持体（Ａｎｔｉ−Ｖｉｂｒａｔｉｏｎ  Ｔｕｂｅ  Ｓｕｐｐｏｒｔ）」という表題で２００５年１０月２０日に出願されたワンニ（Ｗａｎｎｉ）らへの特許文献８に開示されているように（その開示は、参照により本明細書に具体的に援用されている）、ストリップ２１が、管係合部材を含まない部分を含み得ることが考えられる。管係合部材が存在しなかった場合、ストリップ２１の厚さは、ストリップ２１が、必要な支持および偏向を行って振動およびビビリを除去するように、隣接する管１に接触する程度のものになる。
【００２２】
管支持装置２０は係合アセンブリ２５を含む。係合アセンブリ２５は、ストリップ２１の端部に取り付けられるフラットバー２６を含む。溶接によって、或いはリベットまたは他の適切な留め具を使用することによって、バー２６をストリップ２１に取り付け得る。ストリップ２１と同様に、フラットバー２６は耐腐食性の材料から形成される。フラットバー２６は、好ましくは管１の間の空間とほぼ同一である厚さを有する。フラットバー２６は、図５と図６に示されているように、前記フラットバー内に形成された開口部２７を含む。開口部２７は、図２に示されているように、固定アセンブリ１４を収容するように寸法決めされる。開口部２７を介してフラットバー２６を固定アセンブリ１４に係合させることにより、支持装置２０が束に固定される。フラットバー２６は、管１の間における支持装置２０の配置または挿入を容易にするためのテーパー状の端部２８を有する。フラットバー２６の変形例は図７と図８に示されている。開口部２７はスロット２９に置き換えられている。図８に示されているように、スロット２９は、フラットバーの端部に隣接する開口端を有する。開口端は、好ましくは、固定アセンブリ１４における支持装置２０の配置を補助するための外側テーパーを有する。
【００２３】
開口部２７を有する係合アセンブリ２５は、束の組立中に支持装置２０を固定アセンブリ１４に固定できる新しい束に適している。更に、スロット２９を有する係合アセンブリが、新しい束に適しているが、スロット２９は、既存の束に新たに組み込むことにも適している。図１４に示されているように、管支持装置２０は、Ｕ字形の湾曲部１３の接点に隣接する位置で束に挿入されることが好ましい。係合アセンブリ２５は固定アセンブリ１４に係合される。次に、例えば図１５に示されているように、管１が所望の距離を偏向して振動および／またはビビリを除去すべく、管支持装置２０が固定アセンブリ１４の軸を中心に所望の位置に回転される。このようにして、例えば図１３に示されているように、多数の支持装置２０を管１の間に挿入できる。
【００２４】
挿入動作中に、支持装置２０を管１の間に挿入できるように、剛性スペーサバーを使用して、隣接する管１を一時的に分離することが可能である。支持装置２０が挿入されると、スペーサバーを取り外すことができる。
【００２５】
次に、図１、図３および図４を参照して、本発明の他の実施形態による管支持装置３０について説明する。管支持装置３０は、細長いストリップ２１を含む。細長いストリップ２１は、耐腐食性の金属ストリップ（例えばステンレス鋼）から形成されることが好ましい。支持装置２０と同様に、支持装置３０は複数の列の管係合部材２２、２３および２４を含む。管係合部材は、図２と図３に示されているように、ストリップ２１の対向側面から突出するディンプル２２ａ、２２ｂ、２２ｃの列を含み得る。更に、管係合部材は、図２と図４に示されているように、ストリップ２１の対向側面から突出する細長い波形部２４ａ、２４ｂ、２４ｃの列を含み得る。その上、管係合部材は、図２に示されているように、ディンプルおよび波形部の両方を含む部材２３を含み得る。
【００２６】
支持装置３０は、係合アセンブリがストリップ２１に一体化されているので支持装置２０とは異なる。フラットバー２６を固定する代わりに、係合アセンブリを形成する延長部はストリップ２１の延長部３６から形成される。延長部３６は、図２に示されているように開口部を含み得る。更に、延長部３６が、図１２に示されているように、および支持装置２０に関連して上述したように、スロットを含み得ることが考えられる。支持装置３０は、支持装置２０に関連して上述したように挿入される。
【００２７】
厚さが管１の間の空間とほぼ同一になるように延長部３６の厚さを厚くするために、図１１と図１２に示されているように、追加のプレート３７を延長部３６の対向側面に加え得る。延長部３６およびプレート３７は、互いに溶接されるか、或いはリベットまたは他の適切な留め具を使用して接合されることが可能である。
【００２８】
また、図９に示されているように、ストリップ２１の端部を折り曲げることによって、延長部３６の厚さを厚くすることが可能である。更に、延長部３６の折り曲げ部３６ａと３６ｂの間にプレートを挿入することによって、厚さを厚くして剛性を向上させ得ることが考えられる。折り曲げ延長部は、延長部３６を固定アセンブリ１４に固定するための開口部またはスロットを含むことが可能である。
【００２９】
本明細書に開示される実施形態は、矩形管形状および三角形管形状の両方に適している。更に、管支持装置は、３０度、４５度、６０度および９０度に配置される束に使用するのに適している。
【００３０】
管支持装置２０と３０は、それらの一端に形成される開口部５を含み得る。金属バンドまたは金属ケーブルを開口部５に挿入して、支持装置の外側部分を束に固定することが可能である。
【００３１】
本発明の範囲から逸脱することなく、種々の改変および／または変更をなし得ることが当業者には明らかであろう。従って、管支持装置が、添付された特許請求の範囲およびそれらの等価物の範囲に含まれる場合、本発明が管支持装置の改変および変更を包含することが意図される。
【図面の簡単な説明】
【００３２】
【図１】本発明の実施形態に従って固定アセンブリに係合するための係合アセンブリを有する管支持装置の断面図である。
【図２】本発明の他の実施形態に従って固定アセンブリに係合するための係合アセンブリを有する管支持装置の断面図である。
【図３】図１と図２のＹ−Ｙに沿った管支持装置の断面図である。
【図４】図１と図２のＱ−Ｑに沿った管支持装置の断面図である。
【図５】図１に示されている実施形態の係合アセンブリの側面図である。
【図６】図１に示されている実施形態の係合アセンブリの正面図である。
【図７】図１に示されている実施形態の係合アセンブリの変形例の側面図である。
【図８】図７に示されている係合アセンブリの正面図である。
【図９】図２に示されている実施形態の係合アセンブリの変形例の側面図である。
【図１０】図９に示されている係合アセンブリの正面図である。
【図１１】図２に示されている実施形態の係合アセンブリの変形例の側面図である。
【図１２】図１１に示されている係合アセンブリの正面図である。
【図１３】三角形状を有する管束に配置された管支持装置の配置を示した概略図である。
【図１４】管支持装置を管束に挿入したときの管束内の管支持装置の配置を示した概略図である。
【図１５】管支持装置が所望の位置に回転された後の管束内の管支持装置の可能な１つの位置を示した概略図である。
【図１】
2009512833.tif 000003
【図２】
2009512833.tif 000004
【図３】
2009512833.tif 000005
【図４】
2009512833.tif 000006
【図５】
2009512833.tif 000007
【図６】
2009512833.tif 000008
【図７】
2009512833.tif 000009
【図８】
2009512833.tif 000010
【図９】
2009512833.tif 000011
【図１０】
2009512833.tif 000012
【図１１】
2009512833.tif 000013
【図１２】
2009512833.tif 000014
【図１３】
2009512833.tif 000015
【図１４】
2009512833.tif 000016
【図１５】
2009512833.tif 000017
【国際調査報告】
2009512833.tif 000018
2009512833.tif 000019
2009512833.tif 000020